(57)【要約】【課題】高温排ガスを冷却するガス冷却器で回収した大量の熱を安定して放出（消費）する装置を備え、かつ集塵装置の性能を安定的に維持できる排ガス処理装置の提供。【解決手段】ボイラ１を含む燃焼装置から排出される排ガスＥを流す排ガス流路１３に設けたガス冷却器４内を熱媒体が循環する熱媒体循環ライン１１を配置し、ガス冷却器４の入口側にガス冷却器熱媒体流量調節弁１８ａを設け、熱媒体循環ライン１１には熱媒体が冷却水と熱交換する熱媒体−冷却水熱交換器１４を接続し、さらにガス冷却器４を迂回して熱媒体−冷却水熱交換器１４と接続するバイパス熱媒体循環ライン１６とガス冷却器バイパス熱媒体流量調節弁１８ｂを設けた排ガス処理装置であり、高温排ガスを熱交換器１４で放出し、同時に排ガス温度に応じて流量調節弁１８ａ，１８ｂの開度調整により集塵装置５の集塵性能を安定的に維持できるようにした。【選択図】図１
2014009835.tif 000002
【特許請求の範囲】
【請求項１】
ボイラを含む燃焼装置から排出される排ガスを流す排ガス流路の上流側から下流側に向けて脱硝装置、燃焼装置用空気予熱器、ガス冷却器、集塵装置及び脱硫装置を順次設けた排ガス処理装置において、
ガス冷却器と排ガス流路の外側に配置した熱媒体−冷却水熱交換器を熱媒体が循環する熱媒体循環ラインで接続したことを特徴とする排ガス処理装置。
【請求項２】
ボイラを含む燃焼装置から排出される排ガスを流す一以上の排ガス流路の上流側から下流側に向けて脱硝装置、燃焼装置用空気予熱器、ガス冷却器、集塵装置及び脱硫装置を順次設けた排ガス処理装置において、
排ガス処理装置の一以上の排ガス流路内に設置したガス冷却器は、熱媒体が内部を流れるフィンチューブを一段以上、直列接続した構成からなり、前記一以上の排ガス流路内に配置したガス冷却器の入口側の端部同士と出口側の端部同士を並列接続して熱媒体が循環する熱媒体循環ラインを前記一以上の排ガス流路の外部に配置し、ガス冷却器の入口側の熱媒体循環ラインには一以上の熱媒体流量調節弁を配置し、前記熱媒体循環ラインには熱媒体が冷却水と熱交換する熱媒体−冷却水熱交換器を接続し、熱媒体循環ラインの熱媒体−冷却水熱交換器の下流部には熱媒体温度を測定する熱媒体温度測定手段を配置し、熱媒体循環ラインにはガス冷却器を迂回して熱媒体−冷却水熱交換器と接続するバイパス熱媒体循環ラインと該バイパス熱媒体循環ラインに設けたバイパス熱媒体流量調節弁を配置したことを特徴とする排煙処理装置。
【請求項３】
媒体循環ラインには熱媒体循環させるための熱媒体循環ポンプと熱媒体循環ライン内の熱媒体温度を所定値以上に維持するために熱媒体循環ライン内の熱媒体を加熱するための加熱手段を設けたことを特徴とする請求項１記載の排煙処理装置。
【請求項４】
熱媒体−冷却水熱交換器に冷却水を供給する冷却水送りラインと冷却水戻りラインを設け、該冷却水送りラインと冷却水戻りラインには冷却水が熱媒体から得た熱を放出する冷却手段を接続し、
冷却水送りラインには冷却水流量調節弁を配置し、冷却水戻りラインには冷却水温度測定手段を配置し、
熱媒体−冷却水熱交換器を迂回して冷却水を冷却塔に戻す冷却水バイパスラインと該冷却水バイパスラインに冷却水流量調節弁を配置したことを特徴とする請求項１記載の排煙処理装置。
【発明の詳細な説明】
【技術分野】
【０００１】
本発明は、ボイラを含む燃焼装置から排出される排ガス中の煤塵や有害成分を除去する排ガス処理装置に係わり、特に、排ガス処理装置の中の電気集塵装置の効率を高めることができる排ガス処理装置に関するものである。
【背景技術】
【０００２】
排ガス処理装置として低低温ＥＰシステムの概略系統を図２に示す。図２に示す排ガス処理装置は、ボイラを含む燃焼装置１から排出される排ガスの流路に上流側から下流側に向けて脱硝装置２、燃焼装置用空気予熱器３、ガス冷却器４、集塵装置５、排ガスファン６、湿式脱硫装置７、ガス再加熱器１０及び煙突９を順次設けた構成からなっている。
【０００３】
ガス冷却器４とガス再加熱器１０は配管によって閉ループで接続されており、熱媒体として配管内を温水が循環している。ガス冷却器４で昇温された熱媒体はガス再加熱器１０に流入し、排ガスとの熱交換により減温された後、ガス冷却器４に戻る。
【０００４】
燃焼装置（ボイラ）１から排出される排ガスは、空気予熱器３で燃焼用空気と熱交換された後、ガス冷却器４に導入され、さらに温度が下げられてから電気集塵機５に導入され、排ガス中の煤塵の大半が除去される。その後、排ガスはファン６によって昇圧されて湿式脱硫装置７に送られ、排ガス中の硫黄酸化物などの酸性有害物質が除去される。湿式脱硫装置７で飽和ガス温度まで冷却された排ガスは、ガス冷却器４の回収熱を熱媒体循環ラインによりガス再加熱器１０に循環供給して昇温させた後、煙突９から大気に排出される。
【０００５】
この低低温ＥＰシステムにおいて、ガス冷却器４によって電気集塵機５に流入する排ガス温度が下がると、排ガス中の煤塵の電気抵抗が低下し、電気集塵機５での集塵性能が向上することは公知の技術であり、すでに実用化されている。
【０００６】
上記実用化されているガス冷却器４によって電気集塵機５に流入する排ガス温度を下げる排ガス処理システムは、日本国内などでは、煙突９からの排ガスの拡散（着地濃度）の問題から、煙突９から排出する排ガス排出温度が所定値以上とするために、図２に示す排ガス処理システムのように湿式脱硫装置７の出口の水分が飽和した排ガスをガス再加熱器１０で昇温する構成が採用されている。
【０００７】
しかし、煙突９から排出する排ガス排出温度が所定値以上になるようにする必要のない地域では図２に示すガス再加熱器１０を設置する必要がない。このような場合にはガス再加熱器１０を設置する代わりに、ガス冷却器４の回収熱を海水に回収させる熱媒体循環ラインを設けた構成が知られている（特開２００６−３０８２６９号公報（図６））。
【０００８】
またコジェネレーションシステムのガスエンジンの排ガスの高温側の熱を熱電発電ユニットの熱源とし、前記排ガスの低温側の熱を温水熱交換器と放熱熱交換器に流して放熱する発明が特開平９−１１７１６９号公報に開示されている。
【０００９】
ボイラ排ガス処理装置における燃焼用空気予熱器の後流側に熱回収器を配置し、該熱回収器を流れる熱媒体ラインで得られた熱を給水加熱器の熱として利用する発明が特開２００１−２３９１２９号公報に開示されている。
【００１０】
さらに特開２００７−１４６６７６号公報にはエンジンで駆動される発電機からの電力出力とエンジン排ガスが通過する排ガス熱交換器と排ガス熱交換器に冷却水を通過させて温水出力を取り出すコジェネレーションシステムが開示されており、前記高温排ガスを排ガス熱交換器で冷却水により冷却して、冷却水を加熱して得られた温水を貯湯槽に溜める構成が開示されている。
【先行技術文献】
【特許文献】
【００１１】
【特許文献１】特開２００６−３０８２６９号公報
【特許文献２】特開平９−１１７１６９号公報
【特許文献３】特開２００１−２３９１２９号公報
【特許文献４】特開２００７−１４６６７６号公報
【発明の概要】
【発明が解決しようとする課題】
【００１２】
図２に示す従来技術では、高温排ガスを冷却し、さらに排ガス中の煤塵を除くために電気集塵器５の上流側にガス冷却器４を配置する排ガス浄化装置が用いられている。そして浄化した排ガスは、高価な再加熱器１０で加熱して煙突９から大気中に排出する必要があった。しかし、煙突９に導く排ガス温度を再加熱する必要がない国では、ガス冷却器４で回収した大量の熱を安定して放出（消費）する再加熱器１０に代わる設備が必要である。
【００１３】
また、前記特許文献１〜４記載の発明は燃焼装置の高温排ガスから回収した熱を有効利用するための発明が開示されているが、排ガス中の煤塵を効果的に除去することについては触れられていない。特許文献１記載の発明は海水を使うため高級耐食材料で装置を構成する必要があり、特許文献２〜４記載の発明は安定したガス冷却器出口排ガス温度が得られ難いことがある。
【００１４】
本発明の課題は、高温排ガスを冷却するガス冷却器で回収した大量の熱を安定して放出（消費）する装置を備え、かつ集塵装置の性能を安定的に維持できる排ガス処理装置を提供することである。
【課題を解決するための手段】
【００１５】
本発明の上記課題は次の解決手段で解決される。  
請求項１記載の発明は、ボイラ（１）を含む燃焼装置から排出される排ガス（Ｅ）を流す排ガス流路（１３）の上流側から下流側に向けて脱硝装置（２）、燃焼装置用空気予熱器（３）、ガス冷却器（４）、集塵装置（５）及び脱硫装置（７）を順次設けた排ガス処理装置において、ガス冷却器（４）と排ガス流路（１３）の外側に配置した熱媒体−冷却水熱交換器（１４）を熱媒体が循環する熱媒体循環ライン（１１）で接続したことを特徴とする排ガス処理装置である。
【００１６】
請求項２記載の発明は、ボイラ（１）を含む燃焼装置から排出される排ガス（Ｅ）を流す一以上の排ガス流路（１３）の上流側から下流側に向けて脱硝装置（２）、燃焼装置用空気予熱器（３）、ガス冷却器（４）、集塵装置（５）及び脱硫装置（７）を順次設けた排ガス処理装置において、排ガス処理装置の一以上の排ガス流路（１３）内に設置したガス冷却器（４）は、熱媒体が内部を流れるフィンチューブ（４０）を一段以上、直列接続した構成からなり、前記一以上の排ガス流路（１３）内に配置したガス冷却器（４）の入口側の端部同士と出口側の端部同士を並列接続して熱媒体が循環する熱媒体循環ライン（１１）を前記一以上の排ガス流路（１３）の外部に配置し、ガス冷却器（４）の入口側の熱媒体循環ライン（１１）には一以上のガス冷却器熱媒体流量調節弁（１８ａ，１８ａ）を配置し、前記熱媒体循環ライン（１１）には熱媒体が冷却水と熱交換する熱媒体−冷却水熱交換器（１４）を接続し、熱媒体循環ライン（１１）の熱媒体−冷却水熱交換器（１４）の下流部には熱媒体温度を測定する熱媒体温度測定手段（１９）を配置し、熱媒体循環ライン（１１）にはガス冷却器（４）を迂回して熱媒体−冷却水熱交換器（１４）と接続するバイパス熱媒体循環ライン（１６）と該バイパス熱媒体循環ライン（１６）に設けたガス冷却器バイパス熱媒体流量調節弁（１８ｂ）を配置したことを特徴とする排煙処理装置である。
【００１７】
請求項３記載の発明は、熱媒体循環ライン（１１）には熱媒体循環させるための熱媒体循環ポンプ（１２）と熱媒体循環ライン（１１）内の熱媒体温度を所定値以上に維持するために熱媒体循環ライン（１１）内の熱媒体を加熱するための加熱手段（１７）を設けたことを特徴とする請求項１記載の排煙処理装置である。
【００１８】
請求項４記載の発明は、熱媒体−冷却水熱交換器（１４）に冷却水を供給する冷却水送りライン（２２ａ）と冷却水戻りライン（２２ｂ）を設け、該冷却水送りライン（２２ａ）と冷却水戻りライン（２２ｂ）には冷却水が熱媒体から得た熱を放出する冷却手段（２３）を接続し、冷却水送りライン（２２ａ）には冷却水流量調節弁（２５）を配置し、冷却水戻りライン（２２ｂ）には冷却水温度測定手段（２６）を配置し、熱媒体−冷却水熱交換器（１４）を迂回して冷却水を冷却塔（２３）に戻す冷却水バイパスライン（３２）と該冷却水バイパスライン（３２）に冷却水流量調節弁（３３）を配置したことを特徴とする請求項１記載の排煙処理装置である。
【００１９】
（作用）
従来技術における問題点と課題は、ガス冷却器４で排ガスから回収した熱の安定した消費（放散）ができないということであった。この点に関して、本発明では、熱媒体−冷却水熱交換器１４を熱媒体循環ライン１１に設けることで、ガス冷却器４で回収した熱を安定して消費できることになる。
【００２０】
また、熱媒体循環ライン１１内の熱媒体温度が低下し過ぎることがないように熱媒体加熱手段（熱媒体−蒸気熱交換器など）１７を熱媒体循環ライン１１に設けた。
【００２１】
（ａ）実際の運用においてはプラント減負荷、冬場等外気温度が低い場合には、ガス冷却器４の入口排ガス温度が低下することがあり、そのために集塵装置５の入口排ガス温度が低くなり過ぎることが懸念される。集塵装置５の入口排ガス温度が低過ぎると、集塵装置５でのトラブル（灰の固着等）があるため、どのような負荷においても集塵装置５の入口（ガス冷却器４の出口）排ガス温度は、例えば８０℃〜９０℃に制御する必要がある。そのために、熱媒体加熱手段（熱媒体−蒸気熱交換器など）１７などにより熱媒体循環ライン１１内の熱媒体を蒸気で加熱することができる。
【００２２】
（ｂ）また、プラント起動時には大気温度から燃焼排ガス温度は上昇するが、低温の排ガスをガス冷却器４に流し、ガス冷却器４の熱媒体の温度が低い場合には水がガス冷却器４の表面に結露する懸念があるため、ガス冷却器４内の熱媒体温度は６０℃以上にする必要がある。そのために、熱媒体循環ライン１１内の熱媒体温度を加熱するための加熱手段１７で加熱することで上昇させることができる。
【００２３】
（ｃ）さらに排ガスで加熱された熱媒体循環ライン１１内の熱媒体は熱媒体−冷却水熱交換器１４により冷却水で冷却される。通常冷却水温度は冷却塔２３の出口で３０℃程度であり、冷却塔２３の入口で３５℃程度であるが、ガス冷却器４の運転状態によっては熱媒体−冷却水熱交換器１４の出口で冷却水温度が３５℃を越える場合があり得るため、冷却塔２３の入口の冷却水温度（戻り温度）を一定（３５℃程度）に制御する必要がある。そのために、冷却水流量調節弁２５により冷却水流量を調節して冷却水温度（戻り温度）を一定（３５℃程度）に制御する。
【発明の効果】
【００２４】
請求項１記載の本発明によれば、排ガス流路１３に配置されるガス冷却器４から熱媒体循環ライン１１を用いて熱媒体で回収した高温排ガスを排ガス流路１３の外側に配置した熱交換器１４で放出し、同時に集塵装置５で入口の排ガス温度は集塵に適した温度に容易に調整できる。
【００２５】
請求項２記載の本発明によれば、一つ以上の排ガス流路１３内に配置したガス冷却器４の入口側の端部同士と出口側の端部同士を並列接続して熱媒体が循環する単一の熱媒体循環ライン１１を前記一以上の排ガス流路１３の外部に配置し、前記熱媒体循環ライン１１には熱媒体が冷却水と熱交換する熱媒体−冷却水熱交換器１４を接続したので、一以上のガス冷却器４で得られたボイラ１等の排ガスの熱は単一の熱媒体−冷却水熱交換器１４で回収することができ、集塵装置５で入口の排ガス温度は集塵に適した温度に容易に調整できる。
【００２６】
このとき、ボイラ１などの燃焼装置が高負荷運転されている場合に排ガス温度が比較的高くなり過ぎて集塵装置５で集塵をすることができない場合がある。そのために本発明では熱媒体温度測定手段１９で測定される熱媒体温度が高くなり過ぎる場合には、一以上のガス冷却器熱媒体流量調節弁１８ａ，１８ａを絞り、熱媒体循環ライン１１内の熱媒体の流量を低下させてガス冷却器バイパス熱媒体流量調節弁１８ｂを開き、バイパス熱媒体循環ライン１１ａと熱媒体−冷却水熱交換器１４を接続して、高温排ガスを熱媒体−冷却水熱交換器１４で放出し、同時に集塵装置５への入口排ガス温度を集塵に適した温度に下げることができ、高価なＧＧＨ再熱器１０（図２）を用いる必要が無くなる。
【００２７】
また、ボイラ１などの燃焼装置が低負荷運転時又は外気温が低い影響で一以上のガス冷却器４入口ガス温度が低い場合は、何らかの制御をしないと、集塵装置５入口ガス温度が下がり過ぎ、集塵装置５内に灰が固着するなどのトラブルがある。そのために、このような場合には、一以上のガス冷却器熱媒体流量調節弁１８ａ，１８ａを絞るようにして、ガス冷却器バイパス熱媒体流量調節弁１８ｂを開き、バイパス熱媒体循環ライン１１ａと熱媒体−冷却水熱交換器１４を接続して、集塵装置５への入口排ガス温度を集塵に適した温度に上げることができる。
【００２８】
請求項３記載の発明によれば、ボイラ１などの燃焼装置が始動前又は始動後でも低負荷運転時などでは、ガス温度が比較的低くなり過ぎて集塵装置５入口ガス温度が下がり過ぎると集塵器５内に灰が固着するなどのトラブルがある。そのために、熱媒体循環ライン１１内の熱媒体温度を所定値以上に維持するための蒸気との熱交換又は熱媒体循環ライン１１を加熱する電熱ヒータなどの加熱手段１７で加熱して、熱媒体循環ライン１１内の熱媒体を加温して集塵装置５で入口の排ガス温度は集塵に適した温度に容易に調整できる。
【００２９】
請求項４記載の発明によれば、冷却手段２３で得た冷却水を冷却水送りライン２２ａにより熱媒体−冷却水熱交換器１４に送り、熱媒体循環ライン１１内の熱媒体を冷却して集塵装置５への入口排ガス温度を集塵に適した温度に下げることができる。また、熱媒体循環ライン１１に設けた熱媒体温度測定手段１９の測定温度が、集塵装置５の入口における集塵に適した排ガス温度に等しくなるように、冷却水送りライン２２ａに設けた冷却水流量調節弁２５の開度を調節して熱媒体−冷却水熱交換器１４を介して熱媒体循環ライン１１内の熱媒体温度を調節する。
【００３０】
また、冷却水戻りライン２２ｂ内の冷却水温度が適正な値（約３５℃）になるように、冷却水バイパスライン３２の冷却水流量調節弁３３の開度を調節することで、熱媒体循環ライン１１内の熱媒体を冷却して集塵装置５への入口排ガス温度を集塵に適した温度に下げることができる。
【図面の簡単な説明】
【００３１】
【図１】本発明による実施例の構成図である。
【図２】従来技術におけるガス冷却器とガス再加熱器を組み合わせた排ガス処理装置の構成図である。
【発明を実施するための形態】
【００３２】
以下、本発明の実施例について図面を用いて説明する。  
図１は本発明による実施例であり、ガス冷却器４の熱媒体循環系統を示したものである。本実施例は排ガス処理装置に配置される一以上のガス冷却器４，４を燃焼装置（ボイラ）１の一以上の排ガス流路１３，１３内に配置し、高温のボイラ排ガスＥ，Ｅから熱回収する構成である。なお、排ガス流路１３は一基でもよいが、大規模プラントの場合は空気予熱器系統以降を一以上配置しても良い。図１は一以上の排ガス流路１３，１３にそれぞれガス冷却器４，４を配置した構成である。
【００３３】
一対のガス冷却器４，４は、排ガス流路１３，１３内で多数のフィンチューブ４０，４０を折り曲げて積層状態とし、該積層状態の各フィンチューブ４０を複数段、熱媒体配管１１ａ，１１ａで直列接続した構成からなり、それぞれのガス冷却器４の複数段のフィンチューブ４０の中の最上流部のフィンチューブ４０の入口部と最下流部のフィンチューブ４０の出口部を熱媒体循環ライン１１に接続している。
【００３４】
また、一対のガス冷却器４，４の各最上流部のフィンチューブ４０，４０の入口部同士と最下流部のフィンチューブ４０，４０の出口部同士は単一の熱媒体循環ライン１１で接続されているので、一対のガス冷却器４，４は熱媒体循環ライン１１に並列接続された構成である。  
このような並列接続でなく、一対のガス冷却器４，４を熱媒体配管で直列接続した構成にして熱媒体循環ライン１１を構成しても良い。
【００３５】
また、排ガス流路１３，１３に配置されるガス冷却器４，４の複数段のフィンチューブ４０，４０の間には複数のスートブロア４１を配置して、煤塵が付着しやすいフィンチューブ４０，４０を適宜洗浄できる構成にしている。
【００３６】
また、図１に示す熱媒体−冷却水熱交換器１４も一対のガス冷却器４，４と並列位置に熱媒体循環ライン１１に接続した構成であり、また熱媒体−冷却水熱交換器１４だけに熱媒体を循環供給できる熱媒体バイパスライン１６を熱媒体循環ライン１１に接続している。
【００３７】
なお、熱媒体循環ライン１１は並列配置された２つのガス冷却器４，４に同時に熱媒体を循環させるために、一部は分岐した熱媒体循環ライン１１を構成している。さらに、並列配置された一対のガス冷却器４，４の入口側の熱媒体循環ライン１１にはそれぞれ熱媒体の循環量を調節するガス冷却器熱媒体流量調節弁１８ａ，１８ａを設けており、また熱媒体バイパスライン１６にも熱媒体の循環量を調節するガス冷却器バイパス熱媒体流量調節弁１８ｂを設けている。
【００３８】
熱媒体循環ライン１１には熱媒体タンク２９から熱媒体循環ポンプ１２により熱媒体が供給される。熱媒体−冷却水熱交換器１４の直下流側であって熱媒体循環ポンプ１２が配置される熱媒体循環ライン１１の下流側の熱媒体循環ライン１１に熱媒体温度計１９を設けている。
【００３９】
また、熱媒体循環ライン１１内の熱媒体と熱媒体−蒸気熱交換器１７で熱交換する蒸気供給ライン１５を設けている。前記熱媒体温度計１９の熱媒体温度の熱媒体温度測定値に応じて蒸気供給ライン１５に設けた蒸気流量制御弁２１により蒸気供給源２０からの蒸気供給量を制御する。
【００４０】
また、熱媒体循環ライン１１には熱媒体−冷却水熱交換器１４と該熱媒体−冷却水熱交換器１４に冷却水循環ライン２２を介して冷却水を供給する冷却塔２３を設けているので、熱媒体循環ライン１１内の熱媒体温度を調整することができる。冷却水循環ライン２２は冷却水ライン（送り）２２ａと冷却水ライン（戻り）２２ｂからなり、冷却水ライン（送り）２２ａには冷却水流量調節弁２５を配置、冷却水ライン（戻り）２２ｂには冷却水の温度を測定する冷却水温度計２６を設けている。また、冷却水ライン（送り）２２ａと冷却水ライン（戻り）２２ｂの間には熱媒体−冷却水熱交換器１４を迂回して冷却水をバイパスさせる冷却水バイパスライン３２と冷却水バイパス流量調節弁３３を設けている。またガス冷却器４の出口部の排ガス流路１３には排ガスの温度を測定する排ガス温度計３１を設けている。
【００４１】
なお、冷却塔２３に代えて既設の工場内にある冷却設備を使用することができる。また、熱媒体−蒸気熱交換器１７に代えて熱媒体ライン１１内の熱媒体を加熱できる電熱ヒータなどを用いることもできる。
【００４２】
ボイラ１の高負荷運転時にはガス冷却器熱媒体流量調節弁１８ａ，１８ａを全開で運用し、ガス冷却器バイパス熱媒体流量調節弁１８ｂは全閉とする。一対のガス冷却器４，４により加温された熱媒体は熱媒体−冷却水熱交換器１４に送られるが、熱媒体循環ライン１１に設けた熱媒体温度計１９の温度を７０℃〜７５℃程度になるよう冷却塔２３の送り冷却水ライン２２ａに設置されている冷却水流量調節弁２５で制御する。また、戻り冷却水ライン２２ｂでの冷却水温度は、通常３５℃程度であるが、冷却水温度が３５℃以上になるような熱バランスで運転される場合は、冷却水温度計２６と冷却水バイパス流量調節弁３３の開度により冷却水循環ライン２２ａ，２２ｂ内の冷却水を一定温度（例えば、３５℃）に冷却する。
【００４３】
次にボイラ１の低負荷運転時等における運転方法を記載する。  
ボイラ１の低負荷時やガス冷却器４の入口排ガス温度が低い場合、前述の高負荷運転のように熱媒体循環ライン１１内部の全熱媒体を熱媒体−冷却水熱交換器１４側に循環させると熱媒体による熱回収が過剰となり、ガス冷却器４の出口ガス温度（電気集塵装置５の入口ガス温度）が下がり過ぎる。
【００４４】
このことを防止するために、ガス冷却器４の出口部の排ガス流路１３に設けた排ガス温度計３１が、例えば８０℃〜９０℃になるようにガス冷却器４に流れる熱媒体の流量を制御する。例えばガス冷却器４の出口温度が８０℃以下にならないように制御する場合は、ガス冷却器４の出口排ガス温度計３１の温度に応じてガス冷却器熱媒体流量調節弁１８ａ，１８ａを共に絞り、ガス冷却器バイパス熱媒体流量調節弁１８ｂを開くようにする。なお、冷却水ライン２２ａ，２２ｂの系統の温度制御は高負荷時の制御と同じ操作をする。
【００４５】
また、ボイラプラント起動前は冷たい大気温度からスタートして、ボイラ１からの排ガスＥがガス冷却器４内に流入し、水露点となる可能性があるので、予めガス冷却器４内の熱媒体を加温する。上記加温システムの一例を次に説明する。
【００４６】
熱媒体循環ライン１１に設置されたガス冷却器４の入口側の媒体温度計１９が、定温度（６０℃〜７０℃）になるように冷却水ライン（送り）２２ａに設けた冷却水流量調節弁２５の開度を調整して冷却水を投入する。
【００４７】
なお、高負荷運転時及び低負荷運転時においても熱媒体循環ライン１１の入口部の媒体温度計１９の指示温度が所定温度（７０℃程度）以下となった場合も所定温度以上になるよう同様の熱媒体−蒸気熱交換器１７で熱媒体循環ライン１１内の熱媒体を加温する制御を行う。
【００４８】
本発明を適用した本実施例では高価なＧＧＨ再加熱器無しで低低温ＥＰによる高い煤塵除去性能を得られる。  
また、本発明ではガス冷却システム専用の冷却塔２３を設置しているが、通常発電プラントでは冷却水を大量に使用するため、既設設備の冷却水の一部を使用することもある。
【符号の説明】
【００４９】
１  ボイラ                          ２  脱硝装置
３  燃焼装置用空気予熱器            ４  ガス冷却器
５  集塵装置                        ６  ファン
７  脱硫装置                        ９  煙突
１０  ガス再加熱器                  １１  熱媒体循環ライン
１１ａ  熱媒体配管                  １１ｃ  熱媒体バイパスライン
１２  熱媒体循環ポンプ              １３  排ガス流路
１４  熱媒体−冷却水熱交換器        １５  蒸気供給ライン
１６  熱媒体バイパス循環ライン
１７  熱媒体加熱手段（熱媒体−蒸気熱交換器など）
１８ａ  ガス冷却器熱媒体流量調節弁
１８ｂ  ガス冷却器バイパス熱媒体流量調節弁
１９  熱媒体温度計                  ２０  蒸気供給源
２１  蒸気流量制御弁                ２２  冷却水循環ライン
２２ａ  冷却水送りライン            ２２ｂ  冷却水戻りライン
２３  冷却塔                        ２５  冷却水流量調節弁
２６  冷却水温度計                  ２９  熱媒体タンク
３１  排ガス温度計                  ３２  冷却水バイパスライン
３３  冷却水バイパス流量調節弁      ４０  フィンチューブ
４１  スートブロア                  Ｅ  ボイラ排ガス
【図１】
2014009835.tif 000003
【図２】
2014009835.tif 000004